【手続補正書】
【提出日】平成16年2月20日(2004.2.20)
【手続補正１】
【補正対象書類名】明細書
【補正対象項目名】請求項１
【補正方法】変更
【補正の内容】
【請求項１】
入力信号を増幅する第一の増幅器と、
前記第一の増幅器の入出力端子間に接続され、該増幅器の出力信号に基づいて、前記入力信号のオフセット電圧を解消するように動作する第二の増幅器と
を備えた受信回路であって、
前記入力信号とあらかじめ設定された基準信号とを比較して、該入力信号と基準信号との電位差が所定値以上となると、前記第二の増幅器の動作を制限する制御回路を備えたことを特徴とする受信回路。
【手続補正２】
【補正対象書類名】明細書
【補正対象項目名】請求項２
【補正方法】変更
【補正の内容】
【請求項２】
入力信号を増幅する第一の増幅器と、
前記第一の増幅器の出力信号とあらかじめ設定されたしきい値との比較に基づいて、該出力信号を２値化した信号を出力する比較器と、
前記増幅器の入出力端子間に接続され、該増幅器の出力信号に基づいて、入力信号のオフセット電圧を小さくして、前記第一の増幅器の出力信号の直流成分を前記しきい値に収束させるように動作する第二の増幅器と
を備えた受信回路であって、
前記入力信号とあらかじめ設定された基準信号とを比較して、該入力信号と基準電圧との電位差が所定値以上となると、前記第二の増幅器の動作を制限して、前記第一の増幅器の出力信号を前記しきい値に収束させないように動作する制御回路を備えたことを特徴とする受信回路。
【手続補正３】
【補正対象書類名】明細書
【補正対象項目名】請求項３
【補正方法】変更
【補正の内容】
【請求項３】
前記第二の増幅器は、
前記第一の増幅器の出力信号と基準信号との電位差を増幅する帰還増幅器と、
前記帰還増幅器の出力信号から交流成分を除去して、オフセット調整用直流電圧として前記第一の増幅器に出力する容量と
から構成し、
前記制御回路は、前記入力信号と前記基準信号とを比較して、該入力信号の振幅が所定範囲を越えると、前記帰還増幅器の利得若しくは出力電流を可変させる制御信号を出力することを特徴とする請求項１乃至２のいずれかに記載の受信回路。
【手続補正４】
【補正対象書類名】明細書
【補正対象項目名】請求項４
【補正方法】変更
【補正の内容】
【請求項４】
前記第二の増幅器は、
前記第一の増幅器の出力信号と基準信号との電位差を増幅する帰還増幅器と、
前記帰還増幅器の出力信号から交流成分を除去して、オフセット調整用直流電圧として前記第一の増幅器に出力する容量と、
前記帰還増幅器と前記容量との間に介在されるスイッチ回路と
から構成し、
前記制御回路は、前記入力信号と基準信号とを比較して、該入力信号の振幅が一定範囲内となったとき、前記スイッチ回路を導通させ、該入力信号の振幅が一定範囲を越えると、前記スイッチ回路を非導通とする制御信号を出力することを特徴とする請求項１乃至２のいずれかに記載の受信回路。
【手続補正５】
【補正対象書類名】明細書
【補正対象項目名】００１５
【補正方法】変更
【補正の内容】
【００１５】
前記増幅器４の差動出力信号は、それぞれバッファアンプ５，６を介して帰還増幅器３に入力され、その帰還増幅器３の入力端子は、容量Ｃ２を介して接続される。


【手続補正６】
【補正対象書類名】明細書
【補正対象項目名】００１６
【補正方法】変更
【補正の内容】
【００１６】
前記帰還増幅器３の出力端子は、容量Ｃ３を介してグランドＧＮＤに接続されるとともに、前記増幅器１のマイナス側入力端子に接続される。また、増幅器４のマイナス側入力端子には、直流基準電圧ＶF が抵抗Ｒ１を介して供給される。


【手続補正７】
【補正対象書類名】明細書
【補正対象項目名】００１７
【補正方法】変更
【補正の内容】
【００１７】
このような受信回路では、増幅器４の差動出力信号の直流成分の電位差が帰還増幅器３で増幅されて出力される。
このような動作により、増幅器４の入力信号ＶA の直流成分と入力信号ＶB との電位差が大きくなれば、増幅器４の差動出力信号の直流成分の電位差が増大して、入力信号ＶB の電位が上昇する。従って、入力信号ＶA の直流成分と入力信号ＶB の電位とが一致するように動作し、入力信号ＶA ，ＶB 間のオフセット電圧が解消される。このとき、入力信号ＶB は容量Ｃ１の時定数により、緩やかに変化する。


【手続補正８】
【補正対象書類名】明細書
【補正対象項目名】００１８
【補正方法】変更
【補正の内容】
【００１８】
【発明が解決しようとする課題】
上記のような第二及び第三の従来例では、例えば図１１に示すように、振幅及びデューティが大きく異なる入力信号ＶA が入力されると、増幅器１，４から入力信号ＶA を増幅した出力信号ＶC が出力される。


【手続補正９】
【補正対象書類名】明細書
【補正対象項目名】００２３
【補正方法】変更
【補正の内容】
【００２３】
【課題を解決するための手段】
図１は請求項１の原理説明図である。すなわち、第一の増幅器１１は、入力信号ＶA を増幅する。第二の増幅器１３は、前記第一の増幅器１１の入出力端子間に接続され、該増幅器１１の出力信号ＶC に基づいて、前記入力信号ＶA のオフセット電圧を解消するように動作する。制御回路１４は、前記入力信号ＶA とあらかじめ設定された基準信号ＶF とを比較して、該入力信号ＶA と基準信号ＶF との電位差が所定値以上となると、前記第二の増幅器１３の動作を制限する。


【手続補正１０】
【補正対象書類名】明細書
【補正対象項目名】００２４
【補正方法】変更
【補正の内容】
【００２４】
請求項２では、第一の増幅器は、入力信号を増幅する。比較器は、前記第一の増幅器の出力信号とあらかじめ設定されたしきい値との比較に基づいて、該出力信号を２値化した信号を出力する。第二の増幅器は、前記増幅器の入出力端子間に接続され、該増幅器の出力信号に基づいて、入力信号のオフセット電圧を小さくして、前記第一の増幅器の出力信号の直流成分を前記しきい値に収束させるように動作する。制御回路は、前記入力信号とあらかじめ設定された基準信号とを比較して、該入力信号と基準電圧との電位差が所定値以上となると、前記第二の増幅器の動作を制限して、前記第一の増幅器の出力信号を前記しきい値に収束させないように動作する。


【手続補正１１】
【補正対象書類名】明細書
【補正対象項目名】００２５
【補正方法】変更
【補正の内容】
【００２５】
請求項３では、前記第二の増幅器は、前記第一の増幅器の出力信号と基準信号との電位差を増幅する帰還増幅器と、前記帰還増幅器の出力信号から交流成分を除去して、オフセット調整用直流電圧として前記第一の増幅器に出力する容量とから構成される。前記制御回路は、前記入力信号と前記基準信号とを比較して、該入力信号の振幅が所定範囲を越えると、前記帰還増幅器の利得あるいは出力電流を可変させる制御信号を出力する。


【手続補正１２】
【補正対象書類名】明細書
【補正対象項目名】００２６
【補正方法】変更
【補正の内容】
【００２６】
請求項４では、前記第二の増幅器は、前記第一の増幅器の出力信号と基準信号との電位差を増幅する帰還増幅器と、前記帰還増幅器の出力信号から交流成分を除去して、オフセット調整用直流電圧として前記第一の増幅器に出力する容量と、前記帰還増幅器と前記容量との間に介在されるスイッチ回路とから構成される。前記制御回路は、前記入力信号と基準信号とを比較して、該入力信号の振幅が一定範囲内となったとき、前記スイッチ回路を導通させ、該入力信号の振幅が一定範囲を越えると、前記スイッチ回路を非導通とする制御信号を出力する。


【手続補正１３】
【補正対象書類名】明細書
【補正対象項目名】００３０
【補正方法】変更
【補正の内容】
【００３０】
請求項３では、入力信号と基準信号との電位差が所定値以上であれば、制御回路の出力信号に基づいて、帰還増幅器の利得が減少することにより、入力信号のオフセット電圧を小さくする動作が遅延し、第一の増幅器の出力信号が比較器のしきい値に収束しないので、比較器の出力信号での誤パルスの発生が防止される。